(57)【特許請求の範囲】
【請求項１】
コアレッシングフィルタ組立体であって、
前記コアレッシングフィルタ組立体は：
ハウジングであって、前記ハウジングは、１つに接合されてコアレッシングチャンバを形成する、基部ハウジング部材及びカバーハウジング部材を備え、前記基部ハウジング部材は、基部端部パネルと、前記端部パネルから突出する基部境界壁とを備え、前記カバーハウジング部材は、カバー端部パネルと、前記カバー端部パネルから突出するカバー境界壁とを備え、前記カバー端部パネル及び前記基部端部パネルは横方向に離間し、前記カバー端部パネルと前記基部端部パネルとの間に前記コアレッシングチャンバが存在し、前記カバー境界壁及び前記基部境界壁は、シール界面に沿って接合されて、前記コアレッシングチャンバを取り囲み、前記カバー端部パネル及び前記基部端部パネルは、前記シール界面に対して、垂直方向において少なくとも５°の角度を成して延在する、ハウジング；並びに
コアレッシングフィルタ要素であって、前記コアレッシングフィルタ要素は、濾過された側から濾過されていない側を分離するパーティションを有するフレームを備え、前記パーティションはコアレッシング流入ポートを有し、前記コアレッシング流入ポートは、濾過されていない側と濾過された側とを接続し、前記コアレッシング流入ポートを通って流れる流体を濾過するよう配設されたコアレッシングフィルタ媒体を備える、コアレッシングフィルタ要素
を備え、
前記パーティションはパネル部材を含み、前記パネル部材は外周面に、前記シール界面に沿って密閉するシール部材を備え、
前記コアレッシングフィルタ要素は前記コアレッシングフィルタ媒体を提供するコアレッシングチューブを含み、前記コアレッシングチューブは概ね円筒形であり、
前記コアレッシングチューブの開放端部内に突出するプラグ、を備え、
前記プラグは、前記コアレッシングチューブの平坦な端面を最大でも部分的に覆う部分を有し、
前記平坦な端面は、流体が前記コアレッシングチューブの前記端面を通過できるように、少なくとも部分的に露出しており、
前記端面における露出している部分は、少なくとも、前記コアレッシングチューブの外周側の全周である、
コアレッシングフィルタ組立体。
【請求項２】
前記平坦な端面は、流体が前記コアレッシングチューブの前記端面を通過できるように、少なくとも部分的に露出しており、
前記プラグは、第１の直径から第２の直径まで前記プラグの直径を遷移するフレア状外側リムを含み、ここで前記第２の直径は前記第１の直径より大きい、請求項１に記載のコアレッシングフィルタ組立体。
【請求項３】
コアレッシングフィルタ組立体であって、
前記コアレッシングフィルタ組立体は：
ハウジングであって、前記ハウジングは、１つに接合されてコアレッシングチャンバを形成する、基部ハウジング部材及びカバーハウジング部材を備え、前記基部ハウジング部材は、基部端部パネルと、前記端部パネルから突出する基部境界壁とを備え、前記カバーハウジング部材は、カバー端部パネルと、前記カバー端部パネルから突出するカバー境界壁とを備え、前記カバー端部パネル及び前記基部端部パネルは横方向に離間し、前記カバー端部パネルと前記基部端部パネルとの間に前記コアレッシングチャンバが存在し、前記カバー境界壁及び前記基部境界壁は、シール界面に沿って接合されて、前記コアレッシングチャンバを取り囲み、前記カバー端部パネル及び前記基部端部パネルは、前記シール界面に対して、垂直方向において少なくとも５°の角度を成して延在する、ハウジング；並びに
コアレッシングフィルタ要素であって、前記コアレッシングフィルタ要素は、濾過された側から濾過されていない側を分離するパーティションを有するフレームを備え、前記パーティションはコアレッシング流入ポートを有し、前記コアレッシング流入ポートは、濾過されていない側と濾過された側とを接続し、前記コアレッシング流入ポートを通って流れる流体を濾過するよう配設されたコアレッシングフィルタ媒体を備える、コアレッシングフィルタ要素
を備え、
前記パーティションはパネル部材を含み、前記パネル部材は外周面に、前記シール界面に沿って密閉するシール部材を備え、
前記コアレッシングフィルタ要素は前記コアレッシングフィルタ媒体を提供するコアレッシングチューブを含み、前記コアレッシングチューブは概ね円筒形であり、
前記コアレッシングチューブを提供するために複数のコアレッシングチューブセグメントを更に備え、各前記コアレッシングチューブセグメントは別個に前記フレームに固定され、
各前記コアレッシングチューブセグメントは平坦な端面を有し、前記平坦な端面は、流体が前記コアレッシングチューブの前記端面を通過できるように、少なくとも部分的に露出しており、
前記端面における露出している部分は、少なくとも、前記コアレッシングチューブの外周側の全周である、
コアレッシングフィルタ組立体。
【請求項４】
前記フレームは前記パネル部材から突出するチューブ状容器を含み、前記チューブ状容器は、前記コアレッシングチューブセグメントのうちの１つの外側円筒形表面に接触し、接着剤が前記コアレッシングチューブセグメントを前記チューブ状容器に接着するフレア領域を画定する、請求項３に記載のコアレッシングフィルタ組立体。
【請求項５】
隣接する前記チューブ状容器を相互に接続するリブネットワークを更に備える、請求項３に記載のコアレッシングフィルタ組立体。
【請求項６】
前記コアレッシングチューブセグメントはそれぞれチューブセグメントフィルタ軸を取り囲み、
前記チューブセグメントフィルタ軸は、前記パネル部材の平面に対して９５°〜１２０°の角度で配置される、請求項３に記載のコアレッシングフィルタ組立体。
【請求項７】
先細チャネルを更に備え、前記先細チャネルは、流入ポートが貫通して配置される端壁に接合された前記パネルに埋め込まれ、前記コアレッシングチューブは、前記端壁を通して前記コアレッシング流入ポートと流体連通し、前記先細チャネルが前記コアレッシングチューブを受承する、請求項１又は３に記載のコアレッシングフィルタ組立体。
【請求項８】
前記パネル部材はフィルタ軸に対して平行であり、前記先細チャネルはフィルタ媒体軸に沿って延在し、前記フィルタ媒体軸は、前記フィルタ軸から５°〜３０°角度的にオフセットされる、請求項７に記載のコアレッシングフィルタ組立体。
【請求項９】
前記コアレッシング流入ポートと前記コアレッシングチューブとの間に配置される開放状態の端部部材を更に備え、前記端部部材は前記コアレッシングチューブに対してヒートステークされる、請求項８に記載のコアレッシングフィルタ組立体。
【請求項１０】
コアレッシングフィルタ組立体であって、
前記コアレッシングフィルタ組立体は：
ハウジングであって、前記ハウジングは、１つに接合されてコアレッシングチャンバを形成する、基部ハウジング部材及びカバーハウジング部材を備え、前記基部ハウジング部材は、基部端部パネルと、前記端部パネルから突出する基部境界壁とを備え、前記カバーハウジング部材は、カバー端部パネルと、前記カバー端部パネルから突出するカバー境界壁とを備え、前記カバー端部パネル及び前記基部端部パネルは横方向に離間し、前記カバー端部パネルと前記基部端部パネルとの間に前記コアレッシングチャンバが存在し、前記カバー境界壁及び前記基部境界壁は、シール界面に沿って接合されて、前記コアレッシングチャンバを取り囲み、前記カバー端部パネル及び前記基部端部パネルは、前記シール界面に対して、垂直方向において少なくとも５°の角度を成して延在する、ハウジング；並びに
コアレッシングフィルタ要素であって、前記コアレッシングフィルタ要素は、濾過された側から濾過されていない側を分離するパーティションを有するフレームを備え、前記パーティションはコアレッシング流入ポートを有し、前記コアレッシング流入ポートは、濾過されていない側と濾過された側とを接続し、前記コアレッシング流入ポートを通って流れる流体を濾過するよう配設されたコアレッシングフィルタ媒体を備える、コアレッシングフィルタ要素
を備え、
前記パーティションはパネル部材を含み、前記パネル部材は外周面に、前記シール界面に沿って密閉するシール部材を備え、
前記パーティションは、前記パーティションを貫通して形成される少なくとも１つのコアレッシングフィルタ媒体容器を含み、前記コアレッシング流入ポートは前記少なくとも１つのコアレッシングフィルタ媒体によって画定され、前記コアレッシングフィルタ媒体は、前記少なくとも１つのコアレッシングフィルタ媒体容器内に配置され、
前記コアレッシングフィルタ媒体容器は、前記コアレッシング流入ポートを画定する部分を有しており、前記コアレッシング流入ポートを画定する前記部分は内径を有しており、当該内径は前記コアレッシングフィルタ媒体の外径と同等であり、前記コアレッシングフィルタ媒体の少なくとも一部は、前記コアレッシング流入ポートを画定する前記コアレッシングフィルタ媒体容器の前記部分内に軸方向に延在している、
コアレッシングフィルタ組立体。
【請求項１１】
前記少なくとも１つのコアレッシングフィルタ媒体容器は軸方向端部を含み、前記軸方向端部は前記濾過された側に配置され、容器軸を画定する、請求項１０に記載のコアレッシングフィルタ組立体。
【請求項１２】
前記容器軸は、前記フィルタ軸から５°〜３０°角度的にオフセットされる、請求項１１に記載のコアレッシングフィルタ組立体。
【請求項１３】
前記コアレッシングフィルタ媒体はチューブ状コアレッシングフィルタ媒体であり、コアレッシングフィルタ媒体軸と軸方向に整列し、前記コアレッシングフィルタ媒体軸は、前記容器軸に対して垂直であり前記フィルタ軸から角度的にオフセットされる、請求項１２に記載のコアレッシングフィルタ組立体。
【請求項１４】
前記コアレッシングフィルタ媒体軸は、前記フィルタ軸から９５°〜１２０°角度的にオフセットされる、請求項１３に記載のコアレッシングフィルタ組立体。
【請求項１５】
コアレッシングフィルタ要素であって、
前記コアレッシングフィルタ要素は：
濾過された側から濾過されていない側を分離するパーティションを有するフレームであって、前記パーティションは、前記濾過されていない側と前記濾過された側とを接続する、コアレッシング流入ポートを有する、フレーム；
前記コアレッシング流入ポートを通って流れる流体を濾過するよう配設されたコアレッシングフィルタ媒体を備える、少なくとも１つのコアレッシングチューブ
を備え、
前記パーティションはパネル部材を含み、前記パネル部材は外周面にシール部材を備え、先細チャネルが形成されて前記パネル部材に埋め込まれ、前記先細チャネルは前記パネル部材から外側に突出する端壁に接合され、前記コアレッシング流入ポートは前記端壁を貫通して形成され、前記少なくとも１つのコアレッシングチューブは、前記端壁を通して前記コアレッシング流入ポートと流体連通し、前記先細チャネルが前記コアレッシングチューブを受承し、
前記少なくとも１つのコアレッシングチューブは、円筒形外周面及び円筒形内周面を有する円筒形であり、前記円筒形内周面は中空円筒形キャビティを画定し、
前記コアレッシング流入ポートと前記少なくとも１つのコアレッシングチューブとの間に配置される開放状態の端部部材を更に備え、前記端部部材は前記コアレッシングチューブに対してヒートステークされ、
前記端部部材は、前記コアレッシングチューブの反対側に向かって突出している、
コアレッシングフィルタ要素。
【請求項１６】
前記端部部材と前記コアレッシング流入ポートとの間に配置されたＯリングを更に備え、前記Ｏリングは前記端部部材と前記コアレッシング流入ポートとの間に気密シールを形成し、これにより、前記コアレッシング流入ポートに入る全ての流体が前記開放状態の端部部材を通って前記コアレッシングフィルタ媒体に移動する、請求項１５に記載のコアレッシングフィルタ要素。
【請求項１７】
前記コアレッシング流入ポートは、前記コアレッシング流入ポートから軸方向に延在する複数の可撓性フィンガを含み、前記複数の可撓性フィンガはそれぞれ斜面を含み、前記斜面は前記開放状態の端部部材の軸方向端部と嵌合する段付き合わせ面において終端する斜面を含む、請求項１５に記載のコアレッシングフィルタ要素。
【請求項１８】
前記開放状態の端部部材とは反対側に位置する前記少なくとも１つのコアレッシングチューブの端部に配置されたプラグを更に備える、請求項１５に記載のコアレッシングフィルタ要素。
【請求項１９】
前記プラグは、第１の直径から第２の直径まで前記プラグの直径を遷移するフレア状外側リムを含み、ここで前記第２の直径は前記第１の直径より大きいため、前記プラグの前記フレア状外側リムが前記少なくとも１つのコアレッシングチューブの前記中空円筒形キャビティと共にシールを形成する、請求項１８に記載のコアレッシングフィルタ要素。
【請求項２０】
前記プラグに近接して配置されたブラケットを更に備え、前記ブラケットは前記パーティションに摺動可能に取り付けられ、前記フレームの前記濾過された側にある前記プラグに近接しており、前記ブラケットは前記プラグに対して当接関係にあり、これにより、前記プラグは軸方向位置を前記少なくとも１つのコアレッシングチューブの前記中空円筒形キャビティ内に維持する、請求項１９に記載のコアレッシングフィルタ要素。
【請求項２１】
前記プラグはキャビティを含み、前記ブラケットは突出部を含み、前記突出部は前記キャビティ内に挿入される、請求項２０に記載のコアレッシングフィルタ要素。
【請求項２２】
前記プラグは、前記少なくとも１つのコアレッシングチューブの前記中空円筒形キャビティ内に配置されるプラグ内径部分を含み、また前記プラグは、前記少なくとも１つのコアレッシングチューブの外部に配置されたプラグ外径部分を含み、これにより、周方向フランジが形成されて前記コアレッシングフィルタ媒体に当接する、請求項１８に記載のコアレッシングフィルタ要素。
【請求項２３】
前記パーティションはフィルタ軸に沿っており、前記少なくとも１つのコアレッシングチューブはフィルタ媒体軸に沿って整列され、
前記フィルタ媒体軸は、前記フィルタ軸から５°〜３０°角度的にオフセットされる、
請求項１５から２２のいずれか一項に記載のコアレッシングフィルタ要素。
【請求項２４】
コアレッシングフィルタ組立体であって、
前記コアレッシングフィルタ組立体は：
ハウジングであって、前記ハウジングは、１つに接合されてコアレッシングチャンバを形成する、基部ハウジング部材及びカバーハウジング部材を備え、前記基部ハウジング部材は、基部端部パネルと、前記基部端部パネルから突出する基部境界壁とを備え、前記カバーハウジング部材は、カバー端部パネルと、前記カバー端部パネルから突出するカバー境界壁とを備え、前記カバー端部パネル及び前記基部端部パネルは横方向に離間し、前記カバー端部パネルと前記基部端部パネルとの間に前記コアレッシングチャンバが存在し、前記カバー境界壁及び前記基部境界壁は、シール界面に沿って接合され、ここで前記基部ハウジング部材は流入口及び流出口を備え、流路がコアレッシングフィルタ要素のコアレッシング媒体を通って前記流入口から前記流出口へと走っており、前記基部ハウジング部材は更に、前記ハウジングの重力方向底部に配設されたドレーンを含む、ハウジング；
コアレッシングチャンバ内に取り付けられたコアレッシングフィルタ要素であって、前記コアレッシングフィルタ要素は、濾過された側から濾過されていない側を分離するパーティションを有するフレーム、前記パーティションを貫通して形成されたコアレッシング流入ポート；及びコアレッシングフィルタ媒体と、対向端面間に延在する中心キャビティとを備えるコアレッシングチューブを備え、中心流れ軸は、前記コアレッシング流入ポート及び前記中心キャビティを通って前記コアレッシングチューブ内へと延伸し、前記コアレッシングフィルタ媒体が前記中心流れ軸を取り囲み、前記中心流れ軸は、垂直線から３０°以下の差を有して略垂直に延在し、これにより前記対向端面のうちの１つは前記ドレーンに隣接する、コアレッシングフィルタ要素；並びに
前記ハウジングを前記パーティションが取り囲む関係のまま前記フレームを密閉する、シール部材
を備え、
前記コアレッシング流入ポートと前記コアレッシングフィルタ媒体との間に配置される開放状態の端部部材を更に備え、前記端部部材は前記コアレッシングフィルタ媒体に対してヒートステークされ、
前記端部部材は、前記コアレッシングチューブの反対側に向かって突出している、
コアレッシングフィルタ組立体。
【請求項２５】
前記開放状態の端部部材と前記コアレッシング流入ポートとの間に配置され、前記開放状態の端部部材と前記コアレッシング流入ポートとの間に気密シールを形成するよう構成された、Ｏリングを更に備える、請求項２４に記載のコアレッシングフィルタ組立体。
【請求項２６】
前記基部ハウジング部材の前記ドレーンに近接した前記コアレッシングチューブの端面に配置されたプラグを更に備える、請求項２４又は２５に記載のコアレッシングフィルタ組立体。
【請求項２７】
前記プラグは、濾過されていない流体が前記コアレッシングフィルタ媒体の前記中心キャビティの開放端部から出るのを防止するよう構成される、請求項２６に記載のコアレッシングフィルタ組立体。
【請求項２８】
前記プラグは、第１の直径から第２の直径まで前記プラグの直径を遷移するフレア状外側リムを含み、ここで前記第２の直径は前記第１の直径より大きいため、前記プラグの前記フレア状外側リムは前記少なくとも１つのコアレッシングチューブの前記中空円筒形キャビティと共にシールを形成する、請求項２７に記載のコアレッシングフィルタ組立体。
【請求項２９】
コアレッシングフィルタ要素であって、
前記コアレッシングフィルタ要素は：
濾過された側から濾過されていない側を分離するパーティションを有するフレームであって、前記パーティションは、コアレッシング流入ポートを有し、前記コアレッシング流入ポートは前記濾過されていない側と前記濾過された側とを接続し、前記コアレッシング流入ポートを通って流れる流体を濾過するよう配設されたチューブ状コアレッシングフィルタ媒体を備える、フレーム
を備え、
前記パーティションはパネル部材を含み、
前記チューブ状コアレッシングフィルタ媒体は対向端面を備え、前記対向端面の間にはチューブ状リングが延在してコアレッシングチューブを提供し、前記対向端面のうちの少なくとも１つは、流体が前記対向端面のうちの少なくとも１つを通って流れることができるよう、部分的に露出しており、
前記コアレッシングチューブの開放端部内に突出するプラグを更に備え、
前記対向端面における露出している部分は、少なくとも、前記コアレッシングチューブの外周側の全周である、
コアレッシングフィルタ要素。
【請求項３０】
前記プラグは、前記コアレッシングチューブの平坦な端面を部分的に覆う部分と、前記コアレッシングチューブ内に軸方向に延伸する突出部分とを有する、請求項２９に記載のコアレッシングフィルタ要素。
【請求項３１】
前記プラグは、第１の直径から第２の直径まで前記プラグの直径を遷移するフレア状外側リムを含み、ここで前記第２の直径は前記第１の直径より大きい、請求項３０に記載のコアレッシングフィルタ要素。
【請求項３２】
コアレッシングフィルタ要素であって、
前記コアレッシングフィルタ要素は：
濾過された側から濾過されていない側を分離するパーティションを有するフレームであって、前記パーティションは、コアレッシング流入ポートを有し、前記コアレッシング流入ポートは前記濾過されていない側と前記濾過された側とを接続し、前記コアレッシング流入ポートを通って流れる流体を濾過するよう配設されたチューブ状コアレッシングフィルタ媒体を備える、フレーム
を備え、
前記パーティションはパネル部材を含み、
前記チューブ状コアレッシングフィルタ媒体は対向端面を備え、前記対向端面の間にはチューブ状リングが延在してコアレッシングチューブを提供し、前記対向端面のうちの少なくとも１つは、流体が前記対向端面のうちの少なくとも１つを通って流れることができるよう、部分的に露出しており、
前記コアレッシングチューブを提供するために複数のコアレッシングチューブセグメントを更に備え、各前記コアレッシングチューブセグメントは別個に前記フレームに固定されており、
前記対向端面における露出している部分は、少なくとも、前記コアレッシングチューブの外周側の全周である、
コアレッシングフィルタ要素。
【請求項３３】
前記フレームは前記パネル部材から突出するチューブ状容器を含み、前記チューブ状容器は、前記コアレッシングチューブセグメントの外側円筒形表面に接触し、接着剤が前記コアレッシングチューブセグメントを前記チューブ状容器に接着するフレア領域を画定する、請求項３２に記載のコアレッシングフィルタ要素。
【請求項３４】
隣接する前記チューブ状容器を相互に接続するリブネットワークを更に備える、請求項３３に記載のコアレッシングフィルタ要素。
【請求項３５】
前記コアレッシングチューブセグメントはそれぞれチューブセグメントフィルタ軸を取り囲み、前記チューブセグメントフィルタ軸は、前記パネル部材の平面に対して９５°〜１２０°の角度で配置される、請求項３４に記載のコアレッシングフィルタ要素。
【請求項３６】
コアレッシングフィルタ要素であって、
前記コアレッシングフィルタ要素は：
濾過された側から濾過されていない側を分離するフレームであって、前記フレームは、コアレッシング流入ポートを有し、前記コアレッシング流入ポートは前記濾過されていない側と前記濾過された側とを接続し、前記コアレッシング流入ポートを通って流れる流体を濾過するよう配設されたチューブ状コアレッシングフィルタ媒体を備える、フレーム
を備え、
前記チューブ状コアレッシングフィルタ媒体は対向端面を備え、前記対向端面の間にはチューブ状リングが延在してコアレッシングチューブを提供し、前記対向端面のうちの少なくとも１つは、流体が前記対向端面のうちの少なくとも１つを通って流れることができるよう、部分的に露出しており、
前記対向端面における露出している部分は、少なくとも、前記コアレッシングチューブの外周側の全周である、
コアレッシングフィルタ要素。
【発明の詳細な説明】
【技術分野】
【０００１】
本発明は一般に、内燃機関のクランクケース用のフィルタを含むフィルタに関し、より詳細には、コアレッサフィルタ組立体に関する。
【背景技術】
【０００２】
流体から粒子状物質を濾過するために使用されるタイプのフィルタはしばしば、巻き込まれた粒子状物質を含む流体を受け取るための流入口と、粒子状物質を含有しない流体を必要とするデバイスに濾過された流体を送達するための流出口とを有する、フィルタハウジングを含む。例えば、フィルタは内燃機関の空気吸入口に設けてよい。このようなフィルタの例は、パリーク（Ｐａｒｉｋｈ）らによる特許文献１に示されている。
【０００３】
このようなフィルタにおいて、粒子状物質は典型的には、流体が必ずフィルタ要素を通って流れるようフィルタハウジング内に設置されたフィルタ要素によって除去され、このフィルタ要素は、流体から粒子状物質を除去する多孔性フィルタ材料のフィルタパックを含む。１つのこのようなフィルタ要素は、コアレッサフィルタパックを含むコアレッサフィルタ要素である。コアレッサフィルタパックは、空気及び油、燃料及び水、又は水及び燃料といった少なくとも２つの成分を含む、汚染流体の高密度の粒子状物質を捕捉することによって動作する。空気及び油の場合、コアレッサフィルタパックは、高密度の油を捕捉し、油と合体し、低密度の空気を通す。このようなコアレッサフィルタパックの例は、シュワント（Ｓｃｈｗａｎｄｔ）らによる特許文献２に示されている。
【０００４】
時間が経過すると、コアレッサフィルタ要素のコアレッサフィルタパックは、詰まるか又は粒子状物質で覆われ、フィルタがハウジングの流出口において粒子を含まない流体を供給するフィルタの機能を継続するために、フィルタ要素の除去及び交換が必要となる。従って、コアレッサフィルタ要素を設計する際のトレードオフは、汚染流体の高密度部分の除去効率、及びコアレッサフィルタパックのサイズに対するコアレッサフィルタパックの寿命である。
【先行技術文献】
【特許文献】
【０００５】
【特許文献１】米国特許第７，８２８，８６９号
【特許文献２】米国特許第８，１１４，１８３号
【発明の概要】
【発明が解決しようとする課題】
【０００６】
従来のフィルタにおいて用いられる構成よりも長持ちするコアレッサフィルタパックを有する、改善されたコアレッサフィルタ要素を提供することが望ましい。また、単純かつ低コストで製造できる形態の、上述のような改善されたフィルタ要素及びフィルタ装置を提供することが望ましい。
【課題を解決するための手段】
【０００７】
本発明は、上述のようなフィルタを提供する。本発明のこれらの及び他の利点並びに追加の発明的特徴は、本明細書に提供される発明の説明から明らかになるであろう。
【０００８】
一態様では、本発明は、コアレッシングフィルタ組立体を提供する。コアレッシングフィルタ組立体はハウジングを含み、このハウジングは、１つに接合されてコアレッシングチャンバを形成する、基部ハウジング部材及びカバーハウジング部材を含む。基部ハウジング部材は、基部端部パネルと、端部パネルから突出する基部境界壁とを含む。カバーハウジング部材は、カバー端部パネルと、カバー端部パネルから突出するカバー境界壁とを含む。カバー端部パネル及び基部端部パネルは横方向に離間し、その間にコアレッシングチャンバが存在する。カバー境界壁及び基部境界壁は、シール界面に沿って接合されて、コアレッシングチャンバを取り囲む。カバー端部パネル及び基部端部パネルは、シール界面に対して、垂直方向において少なくとも５°の角度を成して延在する。コアレッシングフィルタ組立体は更に、コアレッシングフィルタ要素を含み、このコアレッシングフィルタ要素は、濾過された側から濾過されていない側を分離するパーティションを有するフレームを含む。パーティションはコアレッシング流入ポートを有し、このコアレッシング流入ポートは、濾過されていない側と濾過された側とを接続し、コアレッシング流入ポートを通って流れる流体を濾過するよう配設されたコアレッシングフィルタ媒体を備える。パーティションはパネル部材を含む。パネル部材はその外周面に、シール界面に沿って密閉するシール部材を備え、従ってパーティションは傾斜した先細境界スカートを有さない。
【０００９】
別の態様では、本発明はコアレッシングフィルタ要素を提供する。コアレッシングフィルタ要素は、濾過された側から濾過されていない側を分離するパーティションを有するフレームを含む。パーティションは、濾過されていない側と濾過された側とを接続する、コアレッシング流入ポートを有する。コアレッシングフィルタ要素は更に、少なくとも１つのコアレッシングチューブを含み、この少なくとも１つのコアレッシングチューブは、コアレッシング流入ポートを通って流れる流体を濾過するよう配設されたコアレッシングフィルタ媒体を含む。パーティションは、その外周面にシール部材を備えるパネル部材を含む。更に、先細チャネルが形成されてパネル部材に埋め込まれ、この先細チャネルはパネル部材から外側に突出する端壁に接合される。コアレッシング流入ポートは端壁を貫通して形成され、少なくとも１つのコアレッシングチューブは端壁を通してコアレッシング流入ポートと流体連通し、先細チャネルがコアレッシングチューブを受承する。
【００１０】
更に別の態様では、本発明はコアレッシングフィルタ組立体を提供する。コアレッシングフィルタ組立体はハウジングを含み、このハウジングは、１つに接合されてコアレッシングチャンバを形成する、基部ハウジング部材及びカバーハウジング部材を含む。基部ハウジング部材は、基部端部パネルと、基部端部パネルから突出する基部境界壁とを含む。カバーハウジング部材は、カバー端部パネルと、カバー端部パネルから突出するカバー境界壁とを含む。カバー端部パネル及び基部端部パネルは横方向に離間し、その間にコアレッシングチャンバが存在する。カバー境界壁及び基部境界壁は、シール界面に沿って接合される。基部ハウジング部材は流入口及び流出口を備え、流体流路がコアレッシングフィルタ要素のコアレッシング媒体を通って上記流入口から上記流出口へと走っている。基部ハウジング部材は更に、ハウジングの重力方向底部に配設されたドレーンを含む。コアレッシングフィルタ要素は、コアレッシングチャンバ内に取り付けられる。コアレッシングフィルタ要素は、濾過された側から濾過されていない側を分離するパーティションを有するフレームを含む。コアレッシング流入ポートは、パーティションを貫通して形成される。コアレッシングフィルタ要素はまたコアレッシングチューブも含み、このコアレッシングチューブは、コアレッシングフィルタ媒体と、対向端面間に延在する中心キャビティとを含む。中心流れ軸は、コアレッシング流入ポート及び中心キャビティを通ってコアレッシングチューブ内へと延伸し、コアレッシングフィルタ媒体が中心流れ軸を取り囲む。中心流れ軸は、垂直線から３０°以下の相違を有して略垂直に延在し、これにより対向端面のうちの１つはドレーンに隣接する。コアレッシングフィルタ要素はまたシール部材も含み、このシール部材は、コアレッシングフィルタ組立体のハウジングをパーティションが取り囲む関係のまま、フレームを密閉する。シールは、シール界面に沿って密閉する。
【００１１】
本発明の更に別の態様は、濾過された側から濾過されていない側を分離するパーティションを有するフレームを備える、コアレッシングフィルタ要素を対象とする。パーティションはコアレッシング流入口を有し、このコアレッシング流入口は、濾過されていない側と濾過された側とを接続し、コアレッシング流入ポートを通って流れる流体を濾過するよう配設されたチューブ状コアレッシングフィルタ媒体を備える。フレームはパネル部材を含むことができる。更に、チューブ状コアレッシング媒体は、その間に延在するチューブ状リングを有する対向端面を備えることができる。対向端面のうちの少なくとも１つは、流体が対向端面のうちの少なくとも１つを通って流れることがきるよう、部分的に露出している。
【００１２】
上記の態様によるより具体的な実施形態では、コアレッシングフィルタ要素は端部キャップを有さず、チューブ状コアレッシングフィルタ媒体の対向端面のうちの両方が少なくとも部分的に露出している。
【００１３】
上記の態様に関する特徴によると、フィルタ要素は、コアレッシングチューブの開放端部内に突出するプラグを含んでよい。
【００１４】
プラグは、コアレッシングチューブの平坦な端面を部分的に覆う部分を有してよいが、突出部分がコアレッシングチューブ内に軸方向に延伸した状態で残部を露出したまま残す。
【００１５】
例えばプラグは、第１の直径から第２の直径までプラグの直径を遷移するフレア状外側リムを含んでよく、ここで第２の直径は第１の直径より大きく、これによってプラグのフレア状外側リムはコアレッシングチューブの中空円筒形キャビティと接触する。
【００１６】
ある実施形態では、コアレッシングチューブのために複数のコアレッシングチューブセグメントを設けてよく、各コアレッシングチューブセグメントは、別個にフレームに固定される。例えばフレームは、パネル部材から突出するチューブ状容器を含むよう作製され、このチューブ状容器は、コアレッシングチューブセグメントの外側円筒形表面に接触し、接着剤がコアレッシングチューブセグメントをチューブ状容器に接着するフレア領域を画定する。結果として、フレア状領域に近接した対向端面を、流体が対向端面を通って流れることできるように、露出させてよい。
【００１７】
更に、コアレッシングチューブセグメントは、チューブセグメントフィルタ軸を画定してよく、このチューブセグメントフィルタ軸は、パネル部材の平面に対して９５°〜１２０°の角度を成して配置される。
【００１８】
本発明の他の態様、目的及び利点は、添付の図面を併用した場合、以下の詳細な説明からより明らかになるであろう。
【００１９】
本明細書に組み込まれ、本明細書の一部を形成する添付の図面は、本発明の複数の態様を示し、以下の説明と共に、本発明の原理を説明する働きをする。
【図面の簡単な説明】
【００２０】
【図１】本発明の特定の態様による、フィルタハウジング及びコアレッサフィルタ要素を含むコアレッシングフィルタ組立体の分解立体図である。
【図２】図１のコアレッサフィルタ要素の濾過されていない側の等角図である。
【図３】図１のコアレッサフィルタ要素の濾過された側の等角図である。
【図４】支持ブラケットが追加された図１のコアレッサフィルタの円筒形媒体チューブを示す、コアレッサフィルタ要素の濾過された側の正面図である。
【図５】図１のコアレッサフィルタ要素の断面図である。
【図６】乃至
【図９】本発明の特定の態様による、コアレッシングフィルタ要素のためのフレームの様々な図である。
【図１０】別の実施形態の特定の態様による、コアレッサフィルタ要素の断面図である。
【図１１】図１０のコアレッサフィルタ要素のコアレッシング流入ポートの詳細図である。
【図１２】本発明の特定の態様による、コアレッサフィルタ要素の断面図である。
【図１３】乃至
【図１５】本発明の別の実施形態による、コアレッシングフィルタ要素の様々な図である。
【図１６】図１３〜１５のコアレッシングフィルタ要素の断面図である。
【図１７】本発明の別の実施形態による、コアレッシングフィルタ要素の濾過されていない側の等角図である。
【図１８】図１７のコアレッシングフィルタ要素の濾過された側の等角図である。
【図１９】図１７のコアレッシングフィルタ要素の断面図である。
【図２０】本発明の別の実施形態による、コアレッシングフィルタ要素の濾過されていない側の等角図である。
【図２１】図２０に示したコアレッシングフィルタ要素の濾過された側の等角図である。
【図２２】図２０及び２１に示したフィルタ要素の断面図である。
【図２３】本発明の別の実施形態による、コアレッシングフィルタ要素の濾過されていない側の等角図である。
【図２４】図２３のコアレッシングフィルタ要素の濾過された側の等角図である。
【図２５】図２３のコアレッシングフィルタ要素の断面図である。
【図２６】乃至
【図２８】図２３のフィルタ要素のフレームの図である。
【図２９】乃至
【図３０】図２３〜２８のフィルタ要素のフレームと同様の更なるフレームの図である。
【図３１】乃至
【図３２】図２３〜２８のフィルタ要素のフレームと同様の更なるフレームの図である。
【図３３】乃至
【図３４】図２３〜２８のフィルタ要素のフレームと同様の更なるフレームの図である。
【発明を実施するための形態】
【００２１】
本発明を特定の好ましい実施形態に関連して説明するが、本発明をそれらの実施形態に限定する意図はない。それどころか、あらゆる変形例、修正例及び均等物を、添付の請求項によって定義される本発明の精神及び範囲内に含まれているものとして、包含することを意図している。
【００２２】
図１は、フィルタ軸５０に沿って垂直に配設されたコアレッシングフィルタ組立体１０の分解立体図である。コアレッシングフィルタ組立体１０は、基部ハウジング部材１２及びカバーハウジング部材３０を含み、コアレッシングフィルタ要素７０が基部１２とカバー３０との間に配置される。基部部材１２は、基部端部パネル１４と、端部パネル１４から延在する基部境界壁６８とを含む。基部境界壁６８は、基部端部パネル１４から遠位にある、外周囲又は基部シール界面７４を含む。カバー部材３０はカバー端部パネル７８を含み、カバー境界壁８０がカバー端部パネル７８から延在する。カバー境界壁８０は、カバー端部パネル７８から遠位にある、外周囲又はカバーシール界面７６を含む。
【００２３】
図１及び２は、フレーム７２を含むコアレッシングフィルタ要素７０を示す。フレーム７２は、コアレッシングフィルタ組立体の濾過された４４側から濾過されていない側３４を分離するパーティション６０を含む。パーティション６０はパネル部材６５も含み、またその外周面に密閉用ガスケット８２を備える。図１に示すように、パーティション６０の周縁部及び密閉用ガスケット８２は、基部シール界面７４及びカバーシール界面７６の両方と同一の形状である。基部部材１２及びカバー部材３０は、図１に示す実施形態ではねじ３２である取り付け部材３２によって、１つに接合される。従って、基部部材１２とカバー部材３０とが接合されると、これらは、基部シール界面７４、密閉用ガスケット８２及びカバーシール界面７６の間に気密界面を有するコアレッシングチャンバを形成し、この中にコアレッシングフィルタ要素７０が配置される。
【００２４】
図１に示すように、基部部材１２は、濾過されていない流体の入力１６及び濾過された流体の出力１８を含む。一般に、濾過対象の流体は、エンジンのクランクケースからの濾過されていないガス２０の形態である。濾過されていないガス２０は、濾過されなければ機関に害を及ぼす可能性のある油に巻き込まれる。
【００２５】
濾過されていないガス２０は、エントリチャンバ２６への入力１６を通してコアレッシングフィルタ組立体に入る。エントリチャンバ２６は、コアレッシングフィルタ要素７０のフレーム７２の側面フランジ８４と整合する。側面フランジ８４は窓３６を含み、この窓３６により、濾過されていないガス２０が、パーティション６０とカバー端部パネル７８との間に配置された、コアレッシングフィルタ組立体の濾過されていない側３４に入ることができる。ここから、濾過されていないガス２０は、パーティション６０を貫通して形成されたコアレッシング流入ポート４２を通して、コアレッシングフィルタ要素７０に入る。従って、コアレッシング流入ポート４２は、コアレッシングフィルタ組立体１０の濾過されていない側３４を濾過された側４４に接続する。ここから、濾過されていないガス２０はコアレッシングフィルタ媒体３８（図３参照）に入って濾過されたガス２２となり、この濾過されたガス２２は、流出ポート１８を通してコアレッシングフィルタ組立体１０を出る。
【００２６】
図１〜３は２つのコアレッシング流入ポート４２を示しているが、３つ以上又は２つ未満も考えられる。コアレッシング流入ポート４２は、図３に示すように、コアレッシングフィルタ媒体チューブ３８の形態のコアレッシングフィルタ媒体に繋がっている。媒体チューブ３８はそれぞれ、図１及び２に示すように、フレーム７２のパネル６５に埋め込まれた先細チャネル６２、６４の内側に配置される。先細チャネル６２は、チャネル端壁６６において始まり、中心流れ軸又は換言するとフィルタ媒体軸５８に沿ったコアレッシングフィルタ要素７０の長さに沿って延在する。フィルタ媒体軸５８は、フィルタ軸５０から角度θだけオフセットされる。典型的には、角度θは５°以上３０°未満である。先細チャネル６２は、図２に示すように、先細チャネル６２が先細になり、チャネル端壁６６から遠位にある先細チャネル６２の端部においてパネル６５と同一平面になるように、フィルタ媒体軸に沿って延在する。
【００２７】
図１は、コアレッシングフィルタ要素７０のパーティション６０及びフィルタ軸５０に対して平行である、フィルタ要素平面８６を示す。直線状であり、使用にあたり概ね垂直に配設されるフィルタ媒体チューブ３８（図３参照）を利用するために、フィルタ媒体チューブ３８はフィルタ要素平面８６からオフセットされており、これにより濾過されていないガス２０は、濾過されていない側３４にあるフィルタ媒体チューブ３８に入り、濾過された側４４に出て濾過されたガス２２となることができる。従って、濾過されていない側３４において、カバー端部パネル７８はフィルタ軸５０とフィルタ媒体軸５８との間でオフセットされ、これによってカバー部材３０は先細チャネル６２、６４を閉じ込めることができる。また、基部端部パネル１４は‐θの角度でフィルタ軸５０からオフセットされ、これによって基部部材１２は、コアレッシングフィルタ組立体１０の濾過された側４４に配置されたフィルタ媒体チューブ３８を閉じ込めることができる。
【００２８】
図３は、パーティション６０の濾過された側４４を示す。具体的には、２つのフィルタ媒体チューブ３８を示す。濾過されていないガス２０がコアレッシング流入ポート４２を通して入った後、濾過されていないガス２０は油をガスから分離するフィルタ媒体チューブ３８に進む。濾過されたガス２２は、フィルタ媒体チューブ３８を構成する多孔性材料を通過し、油がフィルタ媒体に合体し、コアレッシング流入ポート４２から遠位にあるプラグ４０に向かう重力下で排出される。プラグ４０は、コアレッシングフィルタ組立体１０の重力方向底部にある。ますます多くの油がフィルタ媒体チューブ３８の底に集まるに従って、油が漏れてコアレッシングフィルタ組立体１０の底に溜まり、基部ハウジング部材１２の底部にある排出口２８（図１参照）を通して排出される。
【００２９】
図４は、コアレッシングフィルタ要素７０のパーティション６０の濾過された側４４の正面図である。この図では、コアレッシングフィルタ媒体チューブ３８の全長が示されている。コアレッシング流入ポート４２に位置する媒体チューブ３８の端部に、開放状態の端部部材８８が配置される。端部部材８８は、チャネル端壁６６（図２参照）と整合し、フィルタ媒体チューブ３８に対してヒートステークされ、これにより濾過されていないガス２０をフィルタ媒体チューブ３８に入れるためのシール界面を形成する。
【００３０】
更に、図４に示した本発明の実施形態は、支持ブラケット４６を示し、これは取り付け機構４８によってパーティション６０に付着している。ブラケット４６は、ブラケット突出部５６によりプラグ４０（プラグに関しては図３又は５参照）に対して上向きの力を加えることによってフィルタ媒体チューブ３８を支持し、これにより、端部部材８８がチャネル端壁６６（図２参照）に当接して、気密界面を形成する。
【００３１】
更に、図４に示した本発明の実施形態では、取り付け機構４８はねじ４８及びスロット９０の形態である。スロット９０内のねじ４８の位置に基づき、チャネル端壁６６（図２参照）と端部部材８８との間に気密界面を形成するためにブラケット４６がプラグ４０に掛ける力を、摺動可能に調整してよい。
【００３２】
図５は、図１〜４に示したフィルタ媒体チューブ３８のうちの１つを通る断面を示す。この図から、端部部材８８とチャネル端壁６６との間の気密界面が、端部部材８８とコアレッシング流入ポート４２との間に配置されたＯリング５４によって補助されているのを見ることができる。具体的には、端部部材８８は、コアレッシング流入ポート４２の入口に向かう内径が除去された部分を有し、これにより、Ｏリング５４を挿入して、コアレッシング流入ポート４２と端部部材８８との間に気密シールを形成できる。従って、全ての濾過されていないガス２０（図１参照）がコアレッシングフィルタ媒体３８に入る。
【００３３】
更に、コアレッシング流入ポート４２は、スナップロックチャネル４３を含む。スナップロックチャネル４３は、コアレッシング流入ポート４２と端部部材８８との間の軸方向変位を防止できるように、端部部材８８と相互作用する。
【００３４】
図５に示すように、コアレッシングフィルタ媒体チューブ３８は、フィルタ媒体軸５８と同心の内径９２及び外径９４を有する中空シリンダの形態である。更に、コアレッシングフィルタ媒体チューブ３８は、互いに対向して配置された第１の端面９６及び第２の端面９８を含む。第１の端面９６は端部部材８８に対してヒートステークされ、第２の端面９８はプラグ４０に対してヒートステークされる。
【００３５】
プラグ４０は、フィルタ媒体チューブ３８の重力方向底部に配設され、これによりプラグ４０は、フィルタ媒体チューブ３８を通る濾過されていない気流及び濾過された油が、第２の端面９８において塞がれた孔を通して排出されるのを防ぐ。油は、重力によって媒体を通してかつプラグ４０の周りで排出される。また、プラグ４０は、第１の外径５９から第２の外径６１まで遷移するフレア状外側リム５７を含む。プラグ４０のフレア状外側リム５７はコアレッシングフィルタ媒体３８の内径９２と共にシールを形成してよく、及び／又はプラグの軸方向突出部分６７はコアレッシングチューブの内周面を密閉してよいか若しくはコアレッシングチューブの内周面に十分に接触してよい。シールは、濾過されていない気流がコアレッシングフィルタ媒体チューブ３８の中空筒部から排出されるのを防止し、また濾過された油がコアレッシングフィルタ媒体チューブ３８の中空筒部から排出されるのを防止し得る。しかしながら油は、プラグ４０の周りで排出できる。プラグ４０はまた、密閉しなくてもよいか、又は溜まった油の即座の排出を可能とするリブを有してよい。
【００３６】
更に、プラグ４０はキャビティ６３を含み、これにより、ブラケット４６から延伸するブラケット突出部５６（例えば図４参照）をプラグ４０に挿入して、プラグをコアレッシングフィルタ媒体チューブ３８内で支持できる。突出部５６は、プラグ４０のフレア状外側リム５７とコアレッシングフィルタ媒体チューブ３８との間のぴったりとした嵌合を保証する。膠等の接着剤もプラグをチューブに固定でき、及び／又は締り嵌めを用いてもよい。
【００３７】
図６〜９は、コアレッシングフィルタ要素２７０を含むコアレッシングフィルタ組立体の更なる実施形態を示す。コアレッシングフィルタ要素２７０はフレーム２７２を含み、このフレーム２７２はまた、コアレッシングフィルタ要素７０のフレーム７２（図２参照）と略同様のガスケットを備える。例えば、コアレッシングフィルタ要素２７０は、コアレッシング流入ポート２４２及び先細チャネル２６２、２６４を含む。コアレッシングフィルタ要素７０とコアレッシングフィルタ要素２７０との主な違いは、各先細チャネル２６２、２６４のための先細チャネル壁２６５、２６７の追加である。先細チャネル壁２６５、２６８は、先細チャネル２６２、２６４に沿って、チャネル入口壁２６６と対向して配置される。先細チャネル２６５、２６７を、図７及び９に具体的に示す。
【００３８】
先細チャネル壁２６５及び２６７の追加により、コアレッシングフィルタ媒体チューブ３８（図３参照）はコアレッシングフィルタ要素２７０内のより深い位置に存在できる。これにより、コアレッシングフィルタ組立体１０の濾過されていない側３４（図１参照）の容積空間が削減され、一方でコアレッシングフィルタ組立体１０の濾過された側４４の容積空間は増大する。コアレッシングフィルタ組立体１０のうちの片側からもう片側への容積における差分変化により、濾過されていないガス２０をコアレッシングフィルタ媒体チューブ３８内に導入する力が増大する。濾過されていないガス２０を導入する力を増大させることにより、より良好な濾過効率が達成される。
【００３９】
図１０及び１１は、プラグ３４０を含むコアレッシングフィルタ要素３７０の追加の実施形態を示す。図１０は、プラグ３４０の詳細図を具体的に示す。プラグ３４０は既に議論した実施形態のプラグ４０とは異なる。具体的には、プラグ３４０は、フレア状外側リム５７（図５参照）を、プラグ内径部分３５９からプラグ外径部分３６１までプラグの直径を遷移する周方向フランジ部分３５７で置き換えている。プラグ内径部分３５９は、プラグ内径部分３５９がコアレッシングフィルタ媒体チューブ３８の中空中心内に適合するように、サイズ設定される。プラグ外径部分３６１は、第２の端面３９８に当接する。
【００４０】
図１１は、フレームに固定できるコアレッシング流入ポート４２の詳細図を示す。コアレッシング流入ポート４２は、側壁４７及び周方向フランジ４５を含む。側壁４７及びフランジ４５は、図５に関して説明したものと同様のＯリング４５と相互作用する。また、スナップロックチャネル４３は、コアレッシング流入ポート４２の側壁４７内に形成される。既に記載したように、スナップロックチャネル４３は端部部材８８と相互作用して、コアレッシング流入ポート４２と端部部材８８との間の軸方向移動を防止する。
【００４１】
図１２は、コアレッシングフィルタ要素４７０を含む本発明の更なる実施形態を示す。コアレッシングフィルタ要素７０とコアレッシングフィルタ要素４７０との主な違いは、修正されたコアレッシング流入ポート４４２を収容する修正された端部部材４８８である。
【００４２】
端部部材４８８は、端部部材４８８の内面に沿って、第１及び第２の内径が増大した切欠き部分４４９、４５１を含む。第１の切欠き部分４４９はＯリング４５４を収容し、このＯリング４５４は端部部材４８８とコアレッシング流入ポート４４２との間の気密界面を生成するよう作用する。第２の切欠き部分４５１は、第１の段付き合わせ面４４５を端部部材４８８に形成し、上記第１の段付き合わせ面４４５は、コアレッシング流入ポート４４２の第２の段付き合わせ面４４３と相互作用する。
【００４３】
コアレッシング流入ポート４４２の第２の段付き合わせ面４４３は、複数の可撓性フィンガ４４１のそれぞれから延在し、上記複数の可撓性フィンガ４４１は、フィルタ媒体軸５８に沿って配置されたコアレッシング流入ポート４４２から軸方向に延在する。コアレッシング流入ポート４４２がコアレッシングフィルタ要素４７０に設置されると、各可撓性フィンガ４４１の斜面４５５は端部部材４８８の内面４５３と相互作用し、上記端部部材４８８は直径が低減され、第１の切欠き部分４４９と第２の切欠き部分４５１との間に配置されている。斜面４５５が端部部材４８８の内面４５３を通過して摺動すると、第２の段付き合わせ面４４３は端部部材４８８の第１の段付き合わせ面４４５との嵌合位置に嵌ることになる。これによりコアレッシング流入ポート４４２を、コアレッシングフィルタ媒体チューブ３８にヒートステークされた端部部材４８８を用いて、所定の位置にロックする。
【００４４】
更に、コアレッシング流入ポート４４２の外壁４５３は、第２の段付き合わせ面４４３とコアレッシング流入ポート４４２の周方向フランジ４８９との間に配置される。コアレッシング流入ポート４４２が設置される際、周方向フランジ４８９はチャネル端壁６６（図２参照）に当接する。更に、外壁４５３は、コアレッシング流入ポート４４２が設置されると、コアレッシング流入ポート４４２の運動が、第１の段付き合わせ面４４３と第２の段付き合わせ面４４５との、及び周方向フランジ４８９とチャネル端壁６６との相互作用により、フィルタ媒体軸５８に沿って軸方向に制限されるように、サイズ設定される。
【００４５】
図１３〜１５は、コアレッシングフィルタ媒体３８を通して、濾過されていないガス２０の流れを逆転させるコアレッシングフィルタ媒体５７０の様々な図を示す。ここで、流れはまずフィルタ媒体３８の外側円筒面に入り、続いて中空コアへのチューブを通過する。具体的には、コアレッシングフィルタ要素５７０は、濾過された側５４４から濾過されていない側５３４を分離するパーティション５６０を含む。パーティション５６０は、その中で第１の先細チャネル５６２及び第２の先細チャネル５６４を形成したパネル部材５６５を含む。先細チャネル５６２、５６４は、先細チャネル５６２、５６４がパーティション５６０の濾過された側の中へと延伸するように、パネル部材５６５に埋め込まれる。
【００４６】
更に、コアレッシングフィルタ媒体３８は、先細チャネル５６２、５６４（図１５参照）内に配置される。先細チャネル５６２、５６４は、コアレッシングフィルタ媒体３８がフィルタ媒体軸５８に沿って軸方向に配設されるように、配設される。本発明の既に議論した実施形態と同様に、フィルタ媒体軸５８は、一般に５°〜３０°である角度θだけ、フィルタ軸５０からオフセットされる。
【００４７】
図１６は、コアレッシングフィルタ要素５７０の断面図を示す。この視点からは、図１〜１２に関して議論した他の構成とは対照的に、濾過されていないガス２０が、濾過されていないガス２０に曝露されている媒体３８自体を通して、コアレッシングフィルタ媒体３８に入るのを見ることができる。従って、濾過されていないガス２０に巻き込まれた汚染物質は、媒体３８に入ると合体し、続いて濾過されたガス２２は、コアレッシング流入ポート４２（図２参照）であったが今は濾過されたガス２２のための流出ポート５４２であるものを通して、コアレッシングフィルタ要素５７０から出て行く。濾過されたガス２２から除去された汚染物質は続いて、重力によって流出ポート５４２から排出され、これにより汚染物質は基部ハウジング部材１２（図１参照）の底部にある排出口２８を通ってコアレッシングフィルタ組立体１０を出る。
【００４８】
図１６は更に、図１０に関して議論したプラグ３４０と物理的に同一であるプラグ３４０を含む。しかしながら、コアレッシングフィルタ要素５７０において、プラグ３４０は、濾過されたガス２２が逃げて濾過されていない側５３４へ戻るのを防止するよう作用する。従って、プラグ３４０が、濾過されたガスを流出ポート５４２から追いやるために、チューブ状コアレッシングフィルタ媒体３８における圧力を増大させる働きをするという点において、プラグ３４０は、チューブ状コアレッシングフィルタ媒体３８と共にエアゾール缶効果を生成する働きをする。
【００４９】
更に、図１６は、媒体３８に対してヒートステークされた端部部材８８を含む。端部部材８８は、流出ポート５４２と媒体３８との間にシールを形成する。
【００５０】
図１７及び１８はそれぞれ、図１に示した要素７０に代えてハウジング内に設置できるコアレッシングフィルタ要素６７０の、濾過されていない側６４４及び濾過された側６３４を示す。コアレッシングフィルタ要素６７０の図示した構成では、前の実施形態のように３つ以上のチューブセグメントを備えるチューブ状コアレッシングフィルタ媒体６３８が、フレームのパネル部材中に形成されたチューブ状フィルタ媒体容器６８８内に配置される。容器６８８は、濾過された側６４４から濾過されていない側６３４を分離するコアレッシングフィルタ要素６７０のパーティション６６０に沿って、横方向に配設される。具体的には、容器６８８は、パーティション６６０のパネル部材６６５を貫通して形成される。また、パーティション６６０は、フィルタ軸５０に沿った平面を画定し、これを通してコアレッシング流入ポート６９７（図１９参照）が形成され、またコアレッシング流入ポート６９７は、コアレッシングフィルタ媒体６３８を備え、濾過されていない側６４４をコアレッシングフィルタ要素６７０の濾過された側６３４に接続する。
【００５１】
更に、容器６８８はそれぞれ、軸方向端部６８９を含む。また、図１７は６つの容器６８８を示し、これらは、フィルタ軸５０に沿って軸方向に離間した２つの容器の群６９１、６９３及び６９５内に配設される。２つの容器の各群６９１、６９３及び６９５内の各容器６８８の長さはそれぞれ同一であり、群６９１、６９３及び６９５の間の各容器６８８の長さは変動する。長さの変動は、各容器６８８の軸方向端部６８９が、チューブ状フィルタ媒体容器軸６５８（図１９参照）に対して平行な平面に沿った突起を形成するようになっている。容器軸６５８は、大きさが５°〜３０°である角度θだけ、フィルタ軸５０からオフセットされる。
【００５２】
図１９は、コアレッシングフィルタ要素６７０の断面図を示す。この視点からは、チューブ状フィルタ媒体容器軸６５８に対して垂直なコアレッシングフィルタ媒体軸６５９が示されている。更に、コアレッシングフィルタ媒体軸６５９は、一般に９５°〜１２０°である角度φだけ、フィルタ軸５０から離間している。結果として、周囲をチューブ状フィルタ媒体セグメントによって取り囲まれるフィルタ媒体軸６５９は水平である。
【００５３】
更に、図１９は、各容器６８８によって形成された接着剤ウェル６４１を示す。接着剤ウェル６４１は、容器６８８の内面６４３で形成される。内面６４３の外形は、媒体外径６９４より僅かに大きい第１の内径６４５を画定するようになっている。これにより、フィルタ媒体６３８と内面６４３との間に開放空間が生成される。上記内面６４３は、フィルタ媒体３８が容器６８８内で接着によって固定されるように、この開放空間に塗布される接着剤を有する。
【００５４】
更に、濾過されていないガス２２が接着剤ウェル及び容器６８８の軸方向端部６８９を通して逃げないことを保証するために、先細部分６４７が容器６８８内に含まれており、これにより内径６４５が内径６４９に遷移する。内径６４９は、媒体外径６９４と同一の長さである。従って、内面６４３は容器６８８の軸方向端部６８９においてフィルタ媒体６３８と同一平面となる。
【００５５】
図１９はまた、コアレッシングフィルタ要素６７０を通って流れる好ましい流体も示す。図１３〜１６に図示したコアレッシングフィルタ要素５７０の実施形態と同様に、コアレッシングフィルタ媒体６３８は、コアレッシングフィルタ媒体６３８を通してコアレッシングフィルタ要素６７０に入る濾過されていないガス流２２に曝露されている。濾過されていないガス２２がコアレッシングフィルタ媒体６３８に入ると、巻き込まれた汚染物質は媒体６３８中で合体し、これにより濾過されたガス２０が生成される。
【００５６】
更に、コアレッシングフィルタ要素６７０は、図１１に関して議論したプラグ３４０と同様のプラグ３４０を含む。プラグ３４０は、各チューブ状フィルタ媒体セグメント内の貫通孔を塞ぎ、媒体６３８からの流体を遮断する。従って、濾過されたガス２０は容器６８８とプラグ３４０との間に形成された流出ポートを通して媒体６３８から流れることができるだけであり、上記流出ポートは、濾過されたガス２０をコアレッシングフィルタ要素６７０の濾過された側６３４へと放出する。
【００５７】
本発明の更に別の実施形態を検討すると、図２０〜２２に示すコアレッシングフィルタ要素７７０は、全ての関連において前の実施形態で示したコアレッシングフィルタ要素６７０と同様であり、かつ要素７０の場合と同様に図１に示したハウジングの間に設置することもできる。従って、特徴部分に関する追加の詳細及び差異のみに焦点を当てる。前の実施形態のように、コアレッシングフィルタ要素７７０はフレーム７７２を含み、このフレーム７７２はパネル部材７７４を含み、このパネル部材７７４は、一般に外周７７６において密閉用ガスケットを周りに取り付けてよい周縁部を画定する。この実施形態では、６つしか有さなかった前の実施形態と比べて、より多くのチューブセグメント７７８が存在する。具体的には、この実施形態は、中間に、かつ他のチューブセグメント７７８の２つの列の重力方向底部に配置された、中心チューブセグメント７８０を含む。このチューブセグメント７８０は、使用時には重力ドレーン２８（図１に示す）の最も近くに近接して配置される。側面とは対照的に中心に配置することにより、いずれの収集された油が中心チューブセグメント７８０を通してより容易に排出されドレーン２８に到達できる。更に、中心チューブセグメント７８０は、より大きな流れを可能とする、他のチューブより目の粗い又は異なるフィルタ媒体のグレードを有してもよい。他の実施形態では、媒体のグレードは同じである。
【００５８】
図１８〜２０の前の実施形態のように、この実施形態は、一般に片側又は両側に端部キャップを有しないチューブセグメントも備えてよい。例えば、端部キャップを両側に設けない。代わりに、一方の端部において、チューブ状容器７８２が形成され、チューブセグメント７７８を受承するパネル部材７７４から突出する。よってこれは、外周囲においてチューブ容器内に保持されたチューブセグメントも示していた図１７〜１９の前の実施形態と同様である。また、同様に、個々のチューブセグメント７８０は接着剤の円形リング７８４を用いて各容器７８２のフレア状領域７８６に固定され、上記接着剤の円形リング７８４は、各チューブセグメント７８０の外周面をチューブ状容器７８２内に、チューブ状容器７８２の内径に沿って固定し、かつ密閉してもよい。
【００５９】
更に、この実施形態は、隣接したチューブ容器７８２を相互に接続して更なる構造的支持を提供し得る、フランジ様構造体７８８を備える、リブネットワーク７８８も示している。
【００６０】
また、前の実施形態と同様に、各チューブ状コアレッシングフィルタ媒体及びチューブ状セグメントの他方の端部は、前の実施形態に示したプラグ３４０と同一の働きをするプラグ７９２によって塞がれ得る。このようなプラグはコアレッシングチューブの開放端部内に突出する部分を有する点が注目されるだろう。更に、各プラグはコアレッシングチューブの平坦な端面を部分的に覆う部分を有してよいが、好ましくは全体を覆うことはなく、これによって各コアレッシングチューブセグメントの端面の相当な部分を露出して、上記セグメントの間において、液体と合体し得る空気及び／又は油の両方の流体の流れを可能とすることができる。径方向延長部リテーナ部分は、この実施形態で示すようにフレア状であってよいか、又は他の実施形態で示すように平坦であってよい。同様に、他方の流入口端部において、チューブ状媒体の全体的に平坦な端面も露出していてよく、これにより同様に端面を通した流入口端部における流体の流れが可能となる。これにより、流体の流れのために利用可能な表面積が最大化される。
【００６１】
更に、濾過されたガス２０から除去された汚染物質は、流出ポート６４２を通して重力によって排出され、これにより汚染物質は基部ハウジング部材１２（図１参照）の底部にある排出口２８を通してコアレッシングフィルタ組立体１０を出る。
【００６２】
図２３〜２８は、コアレッシングフィルタ８７０の更なる実施形態を示す。コアレッシングフィルタ８７０は、前に議論したコアレッシングフィルタ要素６７０及び７７０と多くの点で類似しており、同様に図１のハウジング内に設置できる。特徴部分に関する追加の詳細及び差異のみに焦点を当てる。
【００６３】
前の実施形態のように、コアレッシングフィルタ要素８７０はフレーム８７２を含み、このフレーム８７２はパネル部材８７４を含み、このパネル部材８７４は、一般に外周８７６において密閉用ガスケットを周りに取り付けてよい周縁部を画定する。要素７７０のように、この実施形態は７つのチューブセグメントを含む。
【００６４】
図２３は濾過されていない側８４４を示し、図２４は濾過された側８３４を示す。図示した構成では、フィルタ要素８７０は、コアレッシングフィルタ媒体８３８のチューブセグメントを含み、このチューブセグメントは、フレーム８７２のパネル部材８７４中に形成されたチューブ状フィルタ媒体容器８８８内に配置される。
【００６５】
コアレッシングフィルタ媒体８３８のチューブセグメントは、濾過されていない側８４４上で、一方の端部においてカラー８９１によって容器８８８の軸方向端部８８９に対して密閉される。カラー８９１は、媒体８３８の径方向外周面とチューブ状フィルタ媒体容器８８８の径方向内周面との間に径方向に位置決めされる。一実施形態では、カラー８９１はウレタン接着剤によって提供される。フィルタ媒体８３８の容器８８８に対する別の密閉手段を同様に提供してよい。フィルタ媒体８３８のチューブの軸方向端部８８９に隣接するコアレッシングフィルタ媒体８３８のチューブセグメントの端部を、容器８８８の軸方向端部８８９の内部に埋め込んでよい。
【００６６】
図２５〜２８を参照すると、容器８８８の内面はカラー支持フランジ８９３を含んでよく、このカラー支持フランジ８９３は、径方向内側に延在し、カラー８９１を軸方向に支持する、軸方向外側に面する支持面８９５を提供する。カラー支持フランジ８９３及び特に支持面８９５は、容器８８８の中心軸８５０に対して角度を成してよい。
【００６７】
図２４を参照すると、コアレッシングフィルタ媒体８３８のチューブセグメントの反対側の端部は、フィルタ媒体８３８の中心領域内に固定されたプラグ８４０によって閉鎖できる。
【００６８】
フィルタ要素８７０の濾過された側８３４及び特にフレーム８７２は、相互に接続されたフランジ様構造体を備えるリブネットワーク８９８を含み、上記フランジ様構造体は、パネル部材８７４から外向きに延在し、フィルタ媒体８３８のセグメント間に点在する。リブネットワーク８９８は、フレーム８７２に対する更なる構造的支持を提供する。
【００６９】
図２９及び３０は、フレーム９７２の更なる実施形態を示す。フレーム９７２は、前のフレーム８７２と同様のカラー支持フランジ９９３を含む。しかしながら、カラー支持フランジ９９３は、カラー支持フランジ８９３とは反対方向において先細になっている。この実施形態では、フィルタ媒体容器９８８は、１つの位置において、パネル部材９７４を完全に貫通して延在している。
【００７０】
図３１及び３２は、フレーム１０７２の更なる実施形態を示す。フレーム１０７２はフィルタ媒体容器１０８８を含み、このフィルタ媒体容器１０８８は、少なくとも１つの位置において、パネル部材１０７４を完全に貫通して延在している。
【００７１】
図３３及び３４は更に、フレーム１１７２の更なる実施形態を示す。この実施形態では、フィルタ媒体容器１１８８は、パネル部材１１７４の片側上のリブネットワーク１１９８に融合及び遷移する。
【００７２】
刊行物、特許出願及び特許を含む本明細書において参照される全ての参考文献は、各参考文献が個別に又は具体的に参照により援用されることが示されている、及びその全体が本明細書に説明されているのと同じ程度まで、本明細書によって参照により援用される。
【００７３】
本発明を説明する文脈における（特に以下の請求項の文脈における）「ある（ａ、ａｎ）」及び「その、上記、前記（ｔｈｅ）」及び同様の指示物の使用は、本明細書において明示されていない限り又は文脈によってはっきりと否定されていない限り、単数形及び複数形の両方を包含するものと解釈されるべきである。用語「備える、含む（ｃｏｍｐｒｉｓｉｎｇ）」、「有する（ｈａｖｉｎｇ）」、及び「含有する（ｃｏｎｔａｉｎｉｎｇ）」は、そうでないことが注記されていない限り、制限のない用語（即ち「〜を含むが、これに限定されない」ことを意味する）であると解釈されるべきである。本明細書中の単位の範囲の列挙は単に、本明細書において明示されていない限り、範囲内にある各別個の値に個別に言及する簡略表記法として役立つことを意図したものであり、各別個の値は、これら本明細書において個別に列挙されているかのように、本明細書に組み込まれる。本明細書において明示されていない限り又は文脈によってはっきりと否定されていない限り、本明細書に記載する全ての方法をいずれの好適な順番で実行できる。いずれの及び全ての実施例、又は例示的な語句（例えば「〜等、〜といった（ｓｕｃｈ  ａｓ）」の使用は単に、本発明をより明確にすることを意図しており、そのように請求されていない限り本発明の範囲を限定するものではない。本明細書中のいずれの語句も、本発明の実施に必須のものとして請求されていないいずれの要素を示すものとして解釈してはならない。
【００７４】
本発明を実施するために本発明者らが知っている最良のモードを含む、この発明の好ましい形態を本明細書において説明している。前述の説明を読むことにより、当業者にはそれらの好ましい実施形態の変形例が明らかとなり得る。本発明者らは、熟練した技術者がこのような変形例を適宜採用することを期待しており、また本発明者らは、本発明を、本明細書に具体的に説明したものとは異なる方法で行われることを意図している。従って、この発明は、適用法によって認められる添付の請求項において列挙される主題の全ての修正例及び均等物を含む。更に、本明細書において明示されていない限り又は文脈によってはっきりと否定されていない限り、本明細書は、全ての可能な変形例において、上に説明した要素のいずれの組み合わせを包含する。
【図１】
0006449846.tif 000002
【図２】
0006449846.tif 000003
【図３】
0006449846.tif 000004
【図４】
0006449846.tif 000005
【図５】
0006449846.tif 000006
【図６】
0006449846.tif 000007
【図７】
0006449846.tif 000008
【図８】
0006449846.tif 000009
【図９】
0006449846.tif 000010
【図１０】
0006449846.tif 000011
【図１１】
0006449846.tif 000012
【図１２】
0006449846.tif 000013
【図１３】
0006449846.tif 000014
【図１４】
0006449846.tif 000015
【図１５】
0006449846.tif 000016
【図１６】
0006449846.tif 000017
【図１７】
0006449846.tif 000018
【図１８】
0006449846.tif 000019
【図１９】
0006449846.tif 000020
【図２０】
0006449846.tif 000021
【図２１】
0006449846.tif 000022
【図２２】
0006449846.tif 000023
【図２３】
0006449846.tif 000024
【図２４】
0006449846.tif 000025
【図２５】
0006449846.tif 000026
【図２６】
0006449846.tif 000027
【図２７】
0006449846.tif 000028
【図２８】
0006449846.tif 000029
【図２９】
0006449846.tif 000030
【図３０】
0006449846.tif 000031
【図３１】
0006449846.tif 000032
【図３２】
0006449846.tif 000033
【図３３】
0006449846.tif 000034
【図３４】
0006449846.tif 000035